(57)【特許請求の範囲】
【請求項１】
被取付体に管を連結すべく、前記被取付体の孔に取り付けられる筒状のコネクタであって、
一端側に、前記管または、前記管に接続される管継手を接続可能な第１接続部と、他端側に、前記被取付体の前記孔に接続される第２接続部とを備え、
前記第２接続部は、前記孔の周縁部表側に当接可能な当接部と、その当接部よりも先端側に設けられた、前記孔に挿入される挿入部と、を有し、
前記挿入部の先端部分には、前記孔の周縁部裏側に掛止められる複数の掛止部が設けられ、
前記複数の掛止部の少なくとも一つは、少なくとも前記挿入部に形成された弾性片に設けられて、前記挿入部の内方に移動可能な、可動掛止部となっており、
前記第２接続部の前記当接部には、その周方向における一部分に、前記挿入部を前記孔に対して傾斜させた状態で、前記複数の掛止部のうちいずれかの側の掛止部が前記孔の周縁部裏側に掛けられたときに、前記孔の周縁部に対して逃がされる、逃がし部が設けられていることを特徴とする管用コネクタ。
【請求項２】
被取付体に管を連結すべく、前記被取付体の孔に取り付けられる筒状のコネクタであって、
一端側に、前記管または、前記管に接続される管継手を接続可能な第１接続部と、他端側に、前記被取付体の前記孔に接続される第２接続部とを備え、
前記第２接続部は、前記孔の周縁部表側に当接可能な当接部と、その当接部よりも先端側に設けられた、前記孔に挿入される挿入部と、を有し、
前記挿入部の先端部分には、前記孔の周縁部裏側に掛止められる複数の掛止部が設けられ、
前記複数の掛止部の少なくとも一つは、少なくとも前記挿入部に形成された弾性片に設けられて、前記挿入部の内方に移動可能な、可動掛止部となっており、
前記第２接続部の前記挿入部には、その周方向における一部分に、前記挿入部を前記孔に対して傾斜させた状態で、前記複数の掛止部のうちいずれかの側の掛止部が前記孔の周縁部裏側に掛けられたときに、前記孔の周縁部に対して逃がされる、逃がし部が設けられていることを特徴とする管用コネクタ。
【請求項３】
被取付体に管を連結すべく、前記被取付体の孔に取り付けられる筒状のコネクタであって、
一端側に、前記管または、前記管に接続される管継手を接続可能な第１接続部と、他端側に、前記被取付体の前記孔に接続される第２接続部とを備え、
前記第２接続部は、前記孔の周縁部表側に当接可能な当接部と、その当接部よりも先端側に設けられた、前記孔に挿入される挿入部と、を有し、
前記挿入部の先端部分には、前記孔の周縁部裏側に掛止められる複数の掛止部が設けられ、
前記複数の掛止部の少なくとも一つは、少なくとも前記挿入部に形成された弾性片に設けられて、前記挿入部の内方に移動可能な、可動掛止部となっており、
前記第２接続部の前記挿入部には、その軸方向における一部分に、前記挿入部を前記孔に対して傾斜させた状態で、前記複数の掛止部のうちいずれかの側の掛止部が前記孔の周縁部裏側に掛けられたときに、前記孔の周縁部に対して逃がされる、逃がし部が設けられていることを特徴とする管用コネクタ。
【請求項４】
前記逃がし部は、前記挿入部における前記当接部付近に設けられていることを特徴とする請求項３に記載の管用コネクタ。
【請求項５】
前記当接部に設けられた前記逃がし部は、外方に行くほど前記挿入部先端より離れる方向に進むように傾斜して形成されていることを特徴とする請求項１に記載の管用コネクタ。
【請求項６】
前記挿入部に設けられた前記逃がし部は、前記当接部に近づくほど内方に進むように傾斜して形成されていることを特徴とする請求項２または３に記載の管用コネクタ。
【請求項７】
被取付体に管を連結すべく、前記被取付体の孔に取り付けられる筒状のコネクタであって、
一端側に、前記管または、前記管に接続される管継手を接続可能な第１接続部と、他端側に、前記被取付体の前記孔に接続される第２接続部とを備え、
前記第２接続部は、前記孔の周縁部表側に当接可能な当接部と、その当接部よりも先端側に設けられた、前記孔に挿入される挿入部と、を有し、
前記挿入部の先端部分には、前記孔の周縁部裏側に掛止められる複数の掛止部が設けられ、
前記複数の掛止部の少なくとも一つは、少なくとも前記挿入部に形成された弾性片に設けられて、前記挿入部の内方に移動可能な、可動掛止部となっており、
前記第２接続部の前記当接部には、前記挿入部を前記孔に対して傾斜させた状態で、前記複数の掛止部のうちいずれかの側の掛止部が前記孔の周縁部裏側に掛けられたときに、前記孔の周縁部に対して逃がされる、逃がし部が設けられ、その逃がし部は、外方に行くほど前記挿入部先端より離れる方向に進むように傾斜して形成されていることを特徴とする管用コネクタ。
【請求項８】
被取付体に管を連結すべく、前記被取付体の孔に取り付けられる筒状のコネクタであって、
一端側に、前記管または、前記管に接続される管継手を接続可能な第１接続部と、他端側に、前記被取付体の前記孔に接続される第２接続部とを備え、
前記第２接続部は、前記孔の周縁部表側に当接可能な当接部と、その当接部よりも先端側に設けられた、前記孔に挿入される挿入部と、を有し、
前記挿入部の先端部分には、前記孔の周縁部裏側に掛止められる複数の掛止部が設けられ、
前記複数の掛止部の少なくとも一つは、少なくとも前記挿入部に形成された弾性片に設けられて、前記挿入部の内方に移動可能な、可動掛止部となっており、
前記第２接続部の前記挿入部には、その挿入部を前記孔に対して傾斜させた状態で、前記複数の掛止部のうちいずれかの側の掛止部が前記孔の周縁部裏側に掛けられたときに、前記孔の周縁部に対して逃がされる、逃がし部が設けられ、その逃がし部は、前記当接部に近づくほど内方に進むように傾斜して形成されていることを特徴とする管用コネクタ。
【請求項９】
被取付体に管を連結すべく、前記被取付体の孔に取り付けられる筒状のコネクタであって、
一端側に、前記管または、前記管に接続される管継手を接続可能な第１接続部と、他端側に、前記被取付体の前記孔に接続される第２接続部とを備え、
前記第２接続部は、前記孔の周縁部表側に当接可能な当接部と、その当接部よりも先端側に設けられた、前記孔に挿入される挿入部と、を有し、
前記挿入部の先端部分には、前記孔の周縁部裏側に掛止められる複数の掛止部が設けられ、
前記複数の掛止部の少なくとも一つは、少なくとも前記挿入部に形成された弾性片に設けられて、前記挿入部の内方に移動可能な、可動掛止部となっており、
前記第２接続部には、前記挿入部を前記孔に対して傾斜させた状態で、前記複数の掛止部のうちいずれかの側の掛止部が前記孔の周縁部裏側に掛けられたときに、前記孔の周縁部に対して逃がされる、逃がし部が設けられ、
前記逃がし部は、前記挿入部から前記当接部に渡って設けられ、その逃がし部における前記挿入部側の逃がし部は、前記当接部に近づくほど内方に進むように傾斜して形成されていることを特徴とする管用コネクタ。
【請求項１０】
前記逃がし部における前記当接部側の逃がし部は、外方に行くほど前記挿入部先端より離れる方向に進むように傾斜して形成されていることを特徴とする請求項９に記載の管用コネクタ。
【請求項１１】
前記複数の掛止部は、その１つ以上の掛止部が、前記挿入部の、前記弾性片が形成されていない部位の先端部分に設けられた固定掛止部となり、他の掛止部が、前記可動掛止部となり、
前記固定掛止部は、前記第２接続部の周方向における一方側に設けられ、前記可動掛止部は、前記第２接続部の周方向における他方側に設けられていることを特徴とする請求項１ないし１０のいずれか１項に記載の管用コネクタ。
【請求項１２】
前記逃がし部は、前記第２接続部の、その周方向における前記固定掛止部側に設けられていることを特徴とする請求項１１に記載の管用コネクタ。
【発明の詳細な説明】
【０００１】
【発明の属する技術分野】
この発明は、スイッチボックス等の被取付体に管を連結するための、管用コネクタに関するものである。
【０００２】
【従来の技術および発明が解決しようとする課題】
従来、被取付体の孔、例えばスイッチ等の電気器具が収容されるボックスの孔に、電線の保護管を連結するのに、コネクタが用いられた。そして、このコネクタは、ボックスの前記孔に挿入される挿入部に、孔の周縁部裏側に掛止められる掛止部としての爪が設けられていた。
【０００３】
このように、爪が孔の周縁部に掛止められることでその孔に取り付けられるコネクタにおいては、外れ防止のためには、爪を高くする必要があった。しかし、爪を高くすると、コネクタをボックスの孔に取り付ける際に、爪が孔に干渉しないように挿入部を内側に大きく撓ませて、挿入部を孔に挿入しなければならなかった。このように、従来のコネクタにあっては、挿入部の撓み量を大きくしなければならず、挿入部に負担がかかって折れる虞があるとともに、その挿入作業に大きな力を要した。
【０００４】
この発明は、上記した従来の欠点を解決するためになされたものであり、その目的とするところは、被取付体の孔に容易に取り付けることができる、管用コネクタを提供することにある。
【０００５】
【課題を解決するための手段】
この発明に係る管用コネクタは、前記目的を達成するために、次の構成からなる。すなわち、
請求項１に記載の発明に係る管用コネクタは、被取付体に管を連結すべく、前記被取付体の孔に取り付けられる筒状のコネクタである。このコネクタは、一端側に、前記管または、前記管に接続される管継手を接続可能な第１接続部と、他端側に、前記被取付体の前記孔に接続される第２接続部とを備える。そして、前記第２接続部は、前記孔の周縁部表側に当接可能な当接部と、その当接部よりも先端側に設けられた、前記孔に挿入される挿入部と、を有する。この挿入部の先端部分には、前記孔の周縁部裏側に掛止められる複数の掛止部が設けられ、それら複数の掛止部の少なくとも一つは、少なくとも前記挿入部に形成された弾性片に設けられて、前記挿入部の内方に移動可能な、可動掛止部となっている。ここで、前記第２接続部の前記当接部には、その周方向における一部分に、前記挿入部を前記孔に対して傾斜させた状態で、前記複数の掛止部のうちいずれかの側の掛止部が前記孔の周縁部裏側に掛けられたときに、前記孔の周縁部に対して逃がされる、逃がし部が設けられている。
【０００６】
このように、コネクタは、その一端側の第１接続部に、管または、管に接続される管継手が、接続される。そして、コネクタは、その他端側の第２接続部が、被取付体の孔に接続される。こうして、被取付体に管が、このコネクタを介して、あるいは、このコネクタと管継手とを介して連結される。そして、第２接続部においては、被取付体の孔の周縁部表側に当接可能な当接部と、孔に挿入される挿入部の先端部分に設けられて孔の周縁部裏側に掛止められる複数の掛止部とによって、孔の周縁部を挟むようにして、この第２接続部が孔に接続される。このとき、第２接続部の前記当接部には、その周方向における一部分に、複数の掛止部のうちいずれかの側の掛止部が孔の周縁部裏側に掛けられたときに、孔の周縁部に対して逃がされる逃がし部が設けられているので、そのいずれかの側の掛止部を孔の周縁部裏側に掛けるように挿入部を傾斜させて孔に挿入すると、前記逃がし部によって、掛止部は、孔の周縁部裏側に深く掛かる。したがって、その後に、前記いずれかの側の掛止部がある側を中心にして、傾斜した挿入部を起こすように孔に挿入するとき、前記いずれかの側と反対側の掛止部と、孔の周縁部との干渉が小さくなる。そして、この干渉を取り除くように、弾性片を挿入部内側に撓ませることで可動掛止部を挿入部の内方へ移動させ、孔への挿入部の挿入を完了させ、弾性片が、弾性的に元の側に戻ると、前記いずれかの側と反対側の掛止部は、孔の周縁部裏側に掛止められる。ここにおいて、前記干渉が小さく、前記可動掛止部の、挿入部の内方への移動量もまた小さくなる。
【０００７】
また、請求項２に記載の発明に係る管用コネクタは、被取付体に管を連結すべく、前記被取付体の孔に取り付けられる筒状のコネクタである。このコネクタは、一端側に、前記管または、前記管に接続される管継手を接続可能な第１接続部と、他端側に、前記被取付体の前記孔に接続される第２接続部とを備える。そして、前記第２接続部は、前記孔の周縁部表側に当接可能な当接部と、その当接部よりも先端側に設けられた、前記孔に挿入される挿入部と、を有する。この挿入部の先端部分には、前記孔の周縁部裏側に掛止められる複数の掛止部が設けられ、それら複数の掛止部の少なくとも一つは、少なくとも前記挿入部に形成された弾性片に設けられて、前記挿入部の内方に移動可能な、可動掛止部となっている。ここで、前記第２接続部の前記挿入部には、その周方向における一部分に、前記挿入部を前記孔に対して傾斜させた状態で、前記複数の掛止部のうちいずれかの側の掛止部が前記孔の周縁部裏側に掛けられたときに、前記孔の周縁部に対して逃がされる、逃がし部が設けられている。
このように、コネクタは、その一端側の第１接続部に、管または、管に接続される管継手が、接続される。そして、コネクタは、その他端側の第２接続部が、被取付体の孔に接続される。こうして、被取付体に管が、このコネクタを介して、あるいは、このコネクタと管継手とを介して連結される。そして、第２接続部においては、被取付体の孔の周縁部表側に当接可能な当接部と、孔に挿入される挿入部の先端部分に設けられて孔の周縁部裏側に掛止められる複数の掛止部とによって、孔の周縁部を挟むようにして、この第２接続部が孔に接続される。このとき、第２接続部の前記挿入部には、その周方向における一部分に、複数の掛止部のうちいずれかの側の掛止部が孔の周縁部裏側に掛けられたときに、孔の周縁部に対して逃がされる逃がし部が設けられているので、そのいずれかの側の掛止部を孔の周縁部裏側に掛けるように挿入部を傾斜させて孔に挿入すると、前記逃がし部によって、掛止部は、孔の周縁部裏側に深く掛かる。したがって、その後に、前記いずれかの側の掛止部がある側を中心にして、傾斜した挿入部を起こすように孔に挿入するとき、前記いずれかの側と反対側の掛止部と、孔の周縁部との干渉が小さくなる。そして、この干渉を取り除くように、弾性片を挿入部内側に撓ませることで可動掛止部を挿入部の内方へ移動させ、孔への挿入部の挿入を完了させ、弾性片が、弾性的に元の側に戻ると、前記いずれかの側と反対側の掛止部は、孔の周縁部裏側に掛止められる。ここにおいて、前記干渉が小さく、前記可動掛止部の、挿入部の内方への移動量もまた小さくなる。
【０００８】
また、請求項３に記載の発明に係る管用コネクタは、被取付体に管を連結すべく、前記被取付体の孔に取り付けられる筒状のコネクタである。このコネクタは、一端側に、前記管または、前記管に接続される管継手を接続可能な第１接続部と、他端側に、前記被取付体の前記孔に接続される第２接続部とを備える。そして、前記第２接続部は、前記孔の周縁部表側に当接可能な当接部と、その当接部よりも先端側に設けられた、前記孔に挿入される挿入部と、を有する。この挿入部の先端部分には、前記孔の周縁部裏側に掛止められる複数の掛止部が設けられ、それら複数の掛止部の少なくとも一つは、少なくとも前記挿入部に形成された弾性片に設けられて、前記挿入部の内方に移動可能な、可動掛止部となっている。ここで、前記第２接続部の前記挿入部には、その軸方向における一部分に、前記挿入部を前記孔に対して傾斜させた状態で、前記複数の掛止部のうちいずれかの側の掛止部が前記孔の周縁部裏側に掛けられたときに、前記孔の周縁部に対して逃がされる、逃がし部が設けられている。
このように、コネクタは、その一端側の第１接続部に、管または、管に接続される管継手が、接続される。そして、コネクタは、その他端側の第２接続部が、被取付体の孔に接続される。こうして、被取付体に管が、このコネクタを介して、あるいは、このコネクタと管継手とを介して連結される。そして、第２接続部においては、被取付体の孔の周縁部表側に当接可能な当接部と、孔に挿入される挿入部の先端部分に設けられて孔の周縁部裏側に掛止められる複数の掛止部とによって、孔の周縁部を挟むようにして、この第２接続部が孔に接続される。このとき、第２接続部の前記挿入部には、その軸方向における一部分に、複数の掛止部のうちいずれかの側の掛止部が孔の周縁部裏側に掛けられたときに、孔の周縁部に対して逃がされる逃がし部が設けられているので、そのいずれかの側の掛止部を孔の周縁部裏側に掛けるように挿入部を傾斜させて孔に挿入すると、前記逃がし部によって、掛止部は、孔の周縁部裏側に深く掛かる。したがって、その後に、前記いずれかの側の掛止部がある側を中心にして、傾斜した挿入部を起こすように孔に挿入するとき、前記いずれかの側と反対側の掛止部と、孔の周縁部との干渉が小さくなる。そして、この干渉を取り除くように、弾性片を挿入部内側に撓ませることで可動掛止部を挿入部の内方へ移動させ、孔への挿入部の挿入を完了させ、弾性片が、弾性的に元の側に戻ると、前記いずれかの側と反対側の掛止部は、孔の周縁部裏側に掛止められる。ここにおいて、前記干渉が小さく、前記可動掛止部の、挿入部の内方への移動量もまた小さくなる。
【０００９】
また、請求項４に記載の発明に係る管用コネクタのように、請求項３に記載のコネクタにおいて、前記逃がし部は、前記挿入部における前記当接部付近に設けられてもよい。こうして、逃がし部が、挿入部における当接部付近に設けられることで、前記いずれかの側の掛止部を孔の周縁部裏側に掛けるように挿入部を傾斜させて孔に挿入したときの、孔の周縁部に対する逃がしが効果的に行われる。
【００１０】
また、請求項５に記載の発明に係る管用コネクタのように、請求項１に記載のコネクタにおいて、前記当接部に設けられた前記逃がし部は、外方に行くほど前記挿入部先端より離れる方向に進むように傾斜して形成されるのが望ましい。こうして、当接部に設けられた逃がし部が、外方に行くほど挿入部先端より離れる方向に進むように傾斜して形成されているので、前記いずれかの側の掛止部を孔の周縁部裏側に掛けるように挿入部を傾斜させて孔に挿入したとき、この逃がし部の傾斜が、孔の周縁部表側に沿うように当たって安定する。
【００１１】
また、請求項６に記載の発明に係る管用コネクタのように、請求項２または３に記載のコネクタにおいて、前記挿入部に設けられた前記逃がし部は、前記当接部に近づくほど内方に進むように傾斜して形成されるのが望ましい。こうして、挿入部に設けられた逃がし部が、当接部に近づくほど内方に進むように傾斜して形成されているので、前記いずれかの側の掛止部を孔の周縁部裏側に掛けるように挿入部を傾斜させて孔に挿入するとき、この逃がし部の傾斜に沿って挿入部を孔に挿入することができる。
【００１２】
また、請求項７に記載の発明に係る管用コネクタは、被取付体に管を連結すべく、前記被取付体の孔に取り付けられる筒状のコネクタである。このコネクタは、一端側に、前記管または、前記管に接続される管継手を接続可能な第１接続部と、他端側に、前記被取付体の前記孔に接続される第２接続部とを備える。そして、前記第２接続部は、前記孔の周縁部表側に当接可能な当接部と、その当接部よりも先端側に設けられた、前記孔に挿入される挿入部と、を有する。この挿入部の先端部分には、前記孔の周縁部裏側に掛止められる複数の掛止部が設けられ、それら複数の掛止部の少なくとも一つは、少なくとも前記挿入部に形成された弾性片に設けられて、前記挿入部の内方に移動可能な、可動掛止部となっている。ここで、前記第２接続部の前記当接部には、前記挿入部を前記孔に対して傾斜させた状態で、前記複数の掛止部のうちいずれかの側の掛止部が前記孔の周縁部裏側に掛けられたときに、前記孔の周縁部に対して逃がされる、逃がし部が設けられ、その逃がし部は、外方に行くほど前記挿入部先端より離れる方向に進むように傾斜して形成される。
このように、コネクタは、その一端側の第１接続部に、管または、管に接続される管継手が、接続される。そして、コネクタは、その他端側の第２接続部が、被取付体の孔に接続される。こうして、被取付体に管が、このコネクタを介して、あるいは、このコネクタと管継手とを介して連結される。そして、第２接続部においては、被取付体の孔の周縁部表側に当接可能な当接部と、孔に挿入される挿入部の先端部分に設けられて孔の周縁部裏側に掛止められる複数の掛止部とによって、孔の周縁部を挟むようにして、この第２接続部が孔に接続される。このとき、第２接続部の当接部には、複数の掛止部のうちいずれかの側の掛止部が孔の周縁部裏側に掛けられたときに、孔の周縁部に対して逃がされる逃がし部が設けられているので、そのいずれかの側の掛止部を孔の周縁部裏側に掛けるように挿入部を傾斜させて孔に挿入すると、前記逃がし部によって、掛止部は、孔の周縁部裏側に深く掛かる。したがって、その後に、前記いずれかの側の掛止部がある側を中心にして、傾斜した挿入部を起こすように孔に挿入するとき、前記いずれかの側と反対側の掛止部と、孔の周縁部との干渉が小さくなる。そして、この干渉を取り除くように、弾性片を挿入部内側に撓ませることで可動掛止部を挿入部の内方へ移動させ、孔への挿入部の挿入を完了させ、弾性片が、弾性的に元の側に戻ると、前記いずれかの側と反対側の掛止部は、孔の周縁部裏側に掛止められる。ここにおいて、前記干渉が小さく、前記可動掛止部の、挿入部の内方への移動量もまた小さくなる。
また、請求項８に記載の発明に係る管用コネクタは、被取付体に管を連結すべく、前記被取付体の孔に取り付けられる筒状のコネクタである。このコネクタは、一端側に、前記管または、前記管に接続される管継手を接続可能な第１接続部と、他端側に、前記被取付体の前記孔に接続される第２接続部とを備える。そして、前記第２接続部は、前記孔の周縁部表側に当接可能な当接部と、その当接部よりも先端側に設けられた、前記孔に挿入される挿入部と、を有する。この挿入部の先端部分には、前記孔の周縁部裏側に掛止められる複数の掛止部が設けられ、それら複数の掛止部の少なくとも一つは、少なくとも前記挿入部に形成された弾性片に設けられて、前記挿入部の内方に移動可能な、可動掛止部となっている。ここで、前記第２接続部の前記挿入部には、その挿入部を前記孔に対して傾斜させた状態で、前記複数の掛止部のうちいずれかの側の掛止部が前記孔の周縁部裏側に掛けられたときに、前記孔の周縁部に対して逃がされる、逃がし部が設けられ、その逃がし部は、前記当接部に近づくほど内方に進むように傾斜して形成される。
このように、コネクタは、その一端側の第１接続部に、管または、管に接続される管継手が、接続される。そして、コネクタは、その他端側の第２接続部が、被取付体の孔に接続される。こうして、被取付体に管が、このコネクタを介して、あるいは、このコネクタと管継手とを介して連結される。そして、第２接続部においては、被取付体の孔の周縁部表側に当接可能な当接部と、孔に挿入される挿入部の先端部分に設けられて孔の周縁部裏側に掛止められる複数の掛止部とによって、孔の周縁部を挟むようにして、この第２接続部が孔に接続される。このとき、第２接続部の挿入部には、複数の掛止部のうちいずれかの側の掛止部が孔の周縁部裏側に掛けられたときに、孔の周縁部に対して逃がされる逃がし部が設けられているので、そのいずれかの側の掛止部を孔の周縁部裏側に掛けるように挿入部を傾斜させて孔に挿入すると、前記逃がし部によって、掛止部は、孔の周縁部裏側に深く掛かる。したがって、その後に、前記いずれかの側の掛止部がある側を中心にして、傾斜した挿入部を起こすように孔に挿入するとき、前記いずれかの側と反対側の掛止部と、孔の周縁部との干渉が小さくなる。そして、この干渉を取り除くように、弾性片を挿入部内側に撓ませることで可動掛止部を挿入部の内方へ移動させ、孔への挿入部の挿入を完了させ、弾性片が、弾性的に元の側に戻ると、前記いずれかの側と反対側の掛止部は、孔の周縁部裏側に掛止められる。ここにおいて、前記干渉が小さく、前記可動掛止部の、挿入部の内方への移動量もまた小さくなる。
また、請求項９に記載の発明に係る管用コネクタは、被取付体に管を連結すべく、前記被取付体の孔に取り付けられる筒状のコネクタである。このコネクタは、一端側に、前記管または、前記管に接続される管継手を接続可能な第１接続部と、他端側に、前記被取付体の前記孔に接続される第２接続部とを備える。そして、前記第２接続部は、前記孔の周縁部表側に当接可能な当接部と、その当接部よりも先端側に設けられた、前記孔に挿入される挿入部と、を有する。この挿入部の先端部分には、前記孔の周縁部裏側に掛止められる複数の掛止部が設けられ、それら複数の掛止部の少なくとも一つは、少なくとも前記挿入部に形成された弾性片に設けられて、前記挿入部の内方に移動可能な、可動掛止部となっている。ここで、前記第２接続部には、前記挿入部を前記孔に対して傾斜させた状態で、前記複数の掛止部のうちいずれかの側の掛止部が前記孔の周縁部裏側に掛けられたときに、前記孔の周縁部に対して逃がされる、逃がし部が設けられている。そして、前記逃がし部は、前記挿入部から前記当接部に渡って設けられ、その逃がし部における前記挿入部側の逃がし部は、前記当接部に近づくほど内方に進むように傾斜して形成される。
このように、コネクタは、その一端側の第１接続部に、管または、管に接続される管継手が、接続される。そして、コネクタは、その他端側の第２接続部が、被取付体の孔に接続される。こうして、被取付体に管が、このコネクタを介して、あるいは、このコネクタと管継手とを介して連結される。そして、第２接続部においては、被取付体の孔の周縁部表側に当接可能な当接部と、孔に挿入される挿入部の先端部分に設けられて孔の周縁部裏側に掛止められる複数の掛止部とによって、孔の周縁部を挟むようにして、この第２接続部が孔に接続される。このとき、第２接続部には、複数の掛止部のうちいずれかの側の掛止部が孔の周縁部裏側に掛けられたときに、孔の周縁部に対して逃がされる逃がし部が設けられているので、そのいずれかの側の掛止部を孔の周縁部裏側に掛けるように挿入部を傾斜させて孔に挿入すると、前記逃がし部によって、掛止部は、孔の周縁部裏側に深く掛かる。したがって、その後に、前記いずれかの側の掛止部がある側を中心にして、傾斜した挿入部を起こすように孔に挿入するとき、前記いずれかの側と反対側の掛止部と、孔の周縁部との干渉が小さくなる。そして、この干渉を取り除くように、弾性片を挿入部内側に撓ませることで可動掛止部を挿入部の内方へ移動させ、孔への挿入部の挿入を完了させ、弾性片が、弾性的に元の側に戻ると、前記いずれかの側と反対側の掛止部は、孔の周縁部裏側に掛止められる。ここにおいて、前記干渉が小さく、前記可動掛止部の、挿入部の内方への移動量もまた小さくなる。また、逃がし部が、挿入部から当接部に渡って設けられることで、前記いずれかの側の掛止部を孔の周縁部裏側に掛けるように挿入部を傾斜させて孔に挿入したときの、孔の周縁部に対する逃がしがより効果的に行われる。さらに、前記逃がし部における挿入部側の逃がし部が、当接部に近づくほど内方に進むように傾斜して形成されているので、前記いずれかの側の掛止部を孔の周縁部裏側に掛けるように挿入部を傾斜させて孔に挿入するとき、この逃がし部の傾斜に沿って挿入部を孔に挿入することができる。
また、請求項１０に記載の発明に係る管用コネクタのように、請求項９に記載のコネクタにおいて、前記逃がし部における前記当接部側の逃がし部は、外方に行くほど前記挿入部先端より離れる方向に進むように傾斜して形成されるのが望ましい。こうして、当接部側の逃がし部が、外方に行くほど挿入部先端より離れる方向に進むように傾斜して形成されているので、前記いずれかの側の掛止部を孔の周縁部裏側に掛けるように挿入部を傾斜させて孔に挿入したとき、この逃がし部の傾斜が、孔の周縁部表側に沿うように当たって安定する。
また、請求項１１に記載の発明に係る管用コネクタのように、請求項１ないし１０のいずれか１項に記載のコネクタにおいて、前記複数の掛止部は、その１つ以上の掛止部が、前記挿入部の、前記弾性片が形成されていない部位の先端部分に設けられた固定掛止部となり、他の掛止部が、前記可動掛止部となり、前記固定掛止部は、前記第２接続部の周方向における一方側に設けられ、前記可動掛止部は、前記第２接続部の周方向における他方側に設けられてもよい。
また、請求項１２に記載の発明に係る管用コネクタのように、請求項１１に記載のコネクタにおいて、前記逃がし部は、前記第２接続部の、その周方向における前記固定掛止部側に設けられてもよい。これにより、挿入部を被取付体の孔に挿入するにあたって、初めに、固定掛止部を孔の周縁部裏側に掛けるように挿入部を傾斜させて孔に挿入する。その後、固定掛止部がある側を中心にして、傾斜した挿入部を起こすように孔に挿入する。このとき、可動掛止部と、孔の周縁部との干渉を取り除くように、弾性片を挿入部内側に撓ませることで可動掛止部を挿入部の内方へ移動させて、挿入部を孔に挿入する。そして、孔への挿入部の挿入が完了すると、弾性片は、弾性的に元の側に戻り、可動掛止部は、孔の周縁部裏側に掛止められる。
【００１３】
【発明の実施の形態】
以下、この発明に係る管用コネクタの実施の形態を図面に基づいて説明する。
【００１４】
図１ないし図１０は、本発明に係る管用コネクタの一実施の形態を示す。図中符号１は、被取付体としてのボックスであり、例えば、後述する保護管２およびコネクタ３とともにコンクリート壁等の壁に埋設されて、スイッチ等の電気器具が収容される。２は、管としての、例えば電線を保護する保護管であり、図示実施の形態においては波付管からなる。３は、管用コネクタ、すなわち、ボックス１に保護管２を連結すべく、ボックス１の孔１ａに取り付けられる筒状のコネクタであり、前記孔１ａに挿入される挿入部３ａを有している。４は、閉塞キャップであり、コネクタ３の挿入部３ａに、着脱可能に取り付けられる。５は、コネクタ装置であり、コネクタ３と閉塞キャップ４とからなる。
【００１５】
ここで、コネクタ３は、合成樹脂製であって、一端側に、前記保護管２を接続可能な第１接続部３ｂと、他端側に、前記ボックス１の孔１ａに接続される第２接続部３ｃとを備える。第１接続部３ｂには、その中間部分に、コの字状に穿設された通孔３ｄ、３ｄに囲まれて、弾性的に撓むことができる複数の係合片３ｅ、３ｅが形成されている。そして、この係合片３ｅの先端部分には、その内側に突出する突起３ｆが設けられている。この突起３ｆが、第１接続部３ｂに挿入される保護管２の凹溝２ａと係合することで、その保護管２を保持するようになっている。また、係合片３ｅの外側には、押圧片３ｇが折れ曲がるようにして連設されている。そして、この押圧片３ｇを指で押圧することで、係合片３ｅを外方に撓ませて、突起３ｆを保護管２の凹溝２ａから離脱させることができる。
【００１６】
第２接続部３ｃは、ボックス１の孔１ａの周縁部表側１ｂに当接可能な当接部３ｈと、その当接部３ｈよりも先端側に設けられた、前記孔１ａに挿入れさる前記挿入部３ａと、を有する。そして、挿入部３ａの先端部分には、孔１ａの周縁部裏側１ｃに掛止められる複数の掛止部３ｉ、３ｉが設けられている。そして、これら複数の掛止部３ｉ、３ｉの少なくとも一つは、少なくとも挿入部３ａに形成された弾性片３ｊに設けられて、挿入部３ａの内方に移動可能な、可動掛止部Ｕとなっている。さらに、複数の掛止部３ｉ、３ｉは、その１つ以上の掛止部３ｉが、挿入部３ａの内方に移動しない固定掛止部Ｖとなり、他の掛止部３ｉが、前記可動掛止部Ｕとなっている。そして、固定掛止部Ｖは、第２接続部３ｃの周方向における一方側に設けられ、可動掛止部Ｕは、第２接続部３ｃの周方向における他方側に設けられている。
【００１７】
具体的には、挿入部３ａは、円筒状に形成され、当接部３ｈは、外方に突出してリング状または鍔状に形成されている。また、前記掛止部３ｉは、互いに対向する位置に、すなわち、周方向に１８０度ずれて、二つ設けられており、これら掛止部３ｉ、３ｉは、挿入部３ａの先端部分から外方に突出するようにして形成されている。このとき、これら掛止部３ｉ、３ｉの一方が、前記可動掛止部Ｕとなり、もう一方が、前記固定掛止部Ｖとなっている。そして、第２接続部３ｃには、可動掛止部Ｕを挟むようにして、挿入部３ａの先端から第１接続部３ｂ側に向かって、当接部３ｈを越えて延びる、切り込み３ｋ、３ｋが形成されており、この切り込み３ｋ、３ｋに挟まれた部分が、弾性的に撓むことができる前記弾性片３ｊとなっている。すなわち、弾性片３ｊは、当接部３ｈよりも第１接続部３ｂ側から、挿入部３ａの先端まで延びて形成されている。こうして、挿入部３ａが縮径するように、弾性片３ｊが挿入部３ａの内側に撓むことで、この弾性片３ｊに設けられた可動掛止部Ｕは、挿入部３ａの内方に移動することができる。
【００１８】
また、第２接続部３ｃには、挿入部３ａをボックス１の孔１ａに対して傾斜させた状態で、前記複数の掛止部３ｉ、３ｉのうちいずれかの側の掛止部３ｉが、ボックス１の孔１ａの周縁部裏側１ｃに掛けられたときに、孔１ａの周縁部に対して逃がされる、逃がし部３ｍが設けられている（図９、図１０参照）。詳細には、逃がし部３ｍは、第２接続部３ｃの、その周方向における固定掛止部Ｖ側に（図示実施の形態においては、周方向における、弾性片３ｊと対向する側であって、固定掛止部Ｖと同位置に）設けられている。こうして、逃がし部３ｍは、挿入部３ａをボックス１の孔１ａに対して傾斜させた状態で、挿入部３ａの周方向における一側としての、弾性片３ｊと対向する側（図示実施の形態においては、固定掛止部Ｖがある側）が、前記孔１ａに挿入されているときに、孔１ａの周縁部に対して逃がされる、逃がし部となっている。そして、この逃がし部３ｍは、挿入部３ａから当接部３ｈに渡って設けられている。より詳細には、逃がし部３ｍにおける挿入部３ａ側の逃がし部Ｗは、当接部３ｈに近づくほど内方に進むように傾斜して形成されており、また、逃がし部３ｍにおける当接部３ｈ側の逃がし部Ｘは、外方に行くほど挿入部３ａ先端より離れる方向に進むように傾斜して形成されている。
【００１９】
また、前記弾性片３ｊには、その弾性片３ｊを強制的に、挿入部３ａ内側へ撓ませるべく、ドライバー等の工具（図示せず）が係合する係合部３ｎが設けられている。詳細には、係合部３ｎは、前記工具となるドライバーの先端が嵌まる凹部からなる。具体的には、この凹部は、ドライバーとしてのマイナスドライバーの先端が嵌まるよう、矩形形状をしている。そして、この係合部３ｎは、弾性片３ｊにおける、当接部３ｈよりも第１接続部３ｂ側（すなわち、挿入部３ａとは反対側）の、当接部３ｈに隣接する位置に設けられている。
【００２０】
閉塞キャップ４は、合成樹脂製であって、コネクタ３における挿入部３ａの先端を閉塞する閉塞部４ａと、挿入部３ａに取り付けられる取付部４ｂとを備える。閉塞キャップ４は、この取付部４ｂに、コネクタ３における弾性片３ｊの、挿入部３ａ内側への撓みを許容する撓み許容部４ｃを有し、そして、閉塞キャップ４は、挿入部３ａに取り付けられた状態でその挿入部３ａをボックス１の孔１ａに挿入可能となるよう形成されている。さらに、撓み許容部４ｃは、コネクタ１の弾性片３ｊが挿入部３ａ内側へ撓んだ際に、その撓み許容部４ｃを除く取付部４ｂの取付状態に影響を与えることがないように形成されている。
【００２１】
具体的には、閉塞部４ａは、コネクタ３における挿入部３ａの先端面３ｐに当接してその先端を閉塞するよう盤状に形成されている。そして、閉塞部４ａの表面には、この閉塞キャップ４を挿入部３ａから着脱する際に摘むことができる把手４ｄが設けられている。一方、取付部４ｂは、コネクタ３における挿入部３ａの内周壁３ｑにぴったり接するようにして取り付けられる壁体４ｅにより構成されている。そして、撓み許容部４ｃは、コネクタ３における弾性片３ｊの撓みを逃がす、逃がし空間部４ｆにより構成されている。また、撓み許容部４ｃには、弾性片３ｊの所定以上の撓みを規制する、規制部４ｇが設けられている。図示実施の形態においては、取付部４ｂは、閉塞部４ａの裏面に、半円を越える円弧とその円弧の各端部を結ぶ弦とが、筒状となるよう立設して形成されており、その円弧側の壁が前記壁体４ｅとなっている。そして、規制部４ｇは、取付部４ｂにおける弦側の壁４ｈの外側において、閉塞部４ａの裏面に、壁体４ｅと同心であってその壁体４ｅの半径よりも小となる半径の円弧が壁状に突設するようにして、形成されている。なお、閉塞キャップ４は、その閉塞キャップ４が不用意にコネクタ３から外れるのを防ぐべく、コネクタ３に設けられた凹部３ｒ（図６参照）に嵌まる、凸部４ｉ（図８参照）が形成されている。
【００２２】
また、閉塞キャップ４には、撓み許容部４ｃを、コネクタ３における弾性片３ｊと対向して位置させるべく、コネクタ３に対して位置決めされる位置決め部４ｊが設けられている。すなわち、コネクタ３には、被位置決め部３ｓが設けられており、この被位置決め部３ｓに、閉塞キャップ４の位置決め部４ｊが係合することで、閉塞キャップ４は、コネクタ３に対して位置決めされる。図示実施の形態においては、被位置決め部３ｓは、第２接続部３ｃの内面に設けられた突起からなり、位置決め部４ｊは、壁体４ｅに設けられた切欠きからなる。
【００２３】
次に、以上の構成からなるコネクタ３および、閉塞キャップ４を含むコネクタ装置５の作用効果について説明する。コネクタ３は、その一端側の第１接続部３ｂに、保護管２が接続される。そして、コネクタ３は、その他端側の第２接続部３ｃが、ボックス１の孔１ａに接続される。こうして、ボックス１に保護管２が、コネクタ３を介して連結される。
【００２４】
このとき、第２接続部３ｃにおいては、ボックス１の孔１ａの周縁部表側１ｂに当接可能な当接部３ｈと、孔１ａに挿入される挿入部３ａの先端部分に設けられて孔１ａの周縁部裏側１ｃに掛止められる二つの掛止部３ｉ、３ｉ（可動掛止部Ｕおよび固定掛止部Ｖ）とによって、孔１ａの周縁部を挟むようにして、この第２接続部３ｃが孔１ａに接続される。ここで、第２接続部３ｃには、孔１ａの周縁部に対して逃がされる逃がし部３ｍが設けられているので、固定掛止部Ｖを孔１ａの周縁部裏側１ｃに掛けるように挿入部３ａを傾斜させて孔１ａに挿入すると、前記逃がし部３ｍに孔１ａの周縁部が進入し、固定掛止部Ｖは、孔１ａの周縁部裏側１ｃに深く掛かる（図９参照）。したがって、その後に、前記孔１ａの周縁部が進入した側（すなわち、固定掛止部Ｖがある側）を中心にして、傾斜した挿入部３ａを起こすように孔１ａに挿入するとき、孔１ａの周縁部が進入した側と反対側において、挿入部３ａと、孔１ａの周縁部との干渉が小さくなる（すなわち、固定掛止部Ｖがある側と反対側の可動掛止部Ｕと、孔１ａの周縁部との干渉が小さくなる）。そして、この干渉を取り除くように、弾性片３ｊを挿入部３ａ内側に撓ませることで可動掛止部Ｕを挿入部３ａの内方へ移動させ（図１０参照）、孔１ａへの挿入部３ａの挿入を完了させる。すると、弾性片３ｊが、弾性的に元の側に戻り、可動掛止部Ｕは、孔１ａの周縁部裏側１ｃに掛止められる（図２参照）。ここにおいて、前記干渉が小さく、可動掛止部Ｕの、挿入部３ａの内方への移動量もまた小さくなる。そして、このように、挿入部３ａをボックス１の孔１ａに挿入する際に、可動掛止部Ｕの、挿入部３ａの内方への移動量が小さくなるので、このコネクタ１を、ボックス１の孔１ａに容易に取り付けることができる。
【００２５】
そして、前記逃がし部３ｍが、挿入部３ａから当接部３ｈに渡って設けられることで、孔１ａの周縁部に対する逃がしをより効果的に行うことができる。その上、逃がし部３ｍのうちの挿入部３ａ側の逃がし部Ｗが、当接部３ｈに近づくほど内方に進むように傾斜して形成されているので、固定掛止部Ｖを孔１ａの周縁部裏側１ｃに掛けるように挿入部３ａを傾斜させて孔１ａに挿入するとき、この逃がし部Ｗの傾斜に沿って挿入部３ａを孔１ａに挿入することができる。そして、逃がし部３ｍのうちの当接部３ｈ側の逃がし部Ｘが、外方に行くほど挿入部３ａ先端より離れる方向に進むように傾斜して形成されているので、固定掛止部Ｖを孔１ａの周縁部裏側１ｃに掛けるように挿入部３ａを傾斜させて孔１ａに挿入したとき、この逃がし部Ｘの傾斜が、孔１ａの周縁部表側１ｂに沿うように当たって安定する。
【００２６】
また、弾性片３ｊには、工具となるドライバーが係合する係合部３ｎが設けられている。したがって、この係合部３ｎにドライバーを係合させ、そのドライバーによって、弾性片３ｊを挿入部３ａ内側へ撓ませるように押圧することで、可動掛止部Ｕの、前記孔１ａの周縁部裏側１ｃへの掛りを外して、このコネクタ３を、ボックス１から取り外すことができる。このように、ドライバーを係合部３ｎに係合させて弾性片３ｊを押圧するという簡単な操作で、このコネクタ３を、ボックス１から取り外すことができる。しかも、ドライバーが工具となることから、手近にあるドライバーを用いて、コネクタ３をボックス１から取り外すことができる。
【００２７】
しかも、コネクタ３がボックス１の孔１ａに取り付けられたとき、コネクタ３の係合部３ｎは、ボックス１の外側に位置することとなり、また、ボックス１の外側にあっては、弾性片３ｊの先端に近い位置に位置することとなる。したがって、コネクタ３をボックス１から取り外す際に、ボックス１の外側から取外し作業を行うことができ、また、係合部３ｎが、ボックス１の外側であっても、弾性片３ｊの先端に近い側にあることから、その弾性片３ｊを比較的容易に撓ませることができる。
【００２８】
その上、コネクタ３がボックス１の孔１ａに取り付けられたとき、係合部３ｎが、ボックス１の外側に位置することから、次に示すように、ドライバーを使用することもできる。すなわち、係合部３ｎに係合するドライバーによって弾性片３ｊを押圧することで、可動掛止部Ｕの、前記孔１ａの周縁部裏側１ｃへの掛りを外した後に、ドライバーの先端を係合部３ｎに係合させたまま、このドライバーを、ボックス１側に傾斜させる。そして、ドライバーの側面をボックス１に当て、その当たった部分を中心にして、ドライバーをさらに傾斜させれば、挿入部３ａにおける弾性片３ｊ側が、孔から出る。このように、このドライバーを用いて、挿入部３ａにおける弾性片３ｊ側、すなわち可動掛止部Ｕを、孔１ａから抜き出すことができる。
【００２９】
さらに、コネクタ３をボックス１の孔１ａから取り外す際に、可動掛止部Ｕの、孔１ａの周縁部裏側１ｃへの掛止を外すように、弾性片３ｊを挿入部３ａ内側に撓ませて、挿入部３ａを孔１ａに対して傾斜させると、第２接続部３ｃに設けられた逃がし部３ｍにより、挿入部３ａは、弾性片３ｊと対向する側に移動することができる（図１０参照）。したがって、この弾性片３ｊの撓みをそれほど必要とせず、容易にコネクタ３をボックス１から取り外すことができる。
【００３０】
閉塞キャップ４においては、その閉塞部４ａが、コネクタ３の挿入部３ａの先端を閉塞する。そして、取付部４ｂにおける壁体４ｅが、挿入部３ａの内周壁３ｑにぴったり接するようにして取り付けられることで、この閉塞キャップ４は、コネクタ３に着脱可能に取り付けられる。そして、閉塞キャップ４は、その取付部４ｂに、コネクタ３の弾性片３ｊの、挿入部３ａ内側への撓みを許容する撓み許容部４ｃを有しており、閉塞キャップ４が、コネクタ３の挿入部３ａに取り付けられた状態で、その挿入部３ａをボックス１の孔１ａに挿入して、コネクタ３をボックス１に取り付けることができるようになっている。したがって、ボックス１へのコネクタ３の取付作業性を向上させることができる。しかも、撓み許容部４ｃは、弾性片３ｊの撓みを逃がす逃がし空間部４ｆにより構成されることから、撓み許容部４ｃを除く取付部４ｂの取付状態に影響を与えることなく、弾性片３ｊの撓みを確実に逃がすことができる。よって、コネクタ３の挿入部３ａを、ボックス１の孔１ａに挿入するときに、弾性片３ｊが挿入部３ａ内側に撓んでも、撓み許容部４ｃを除く取付部４ｂの取付状態は影響を受けることがない。こうして、コネクタ３をボックス１に取り付ける際にも、コネクタ３への閉塞キャップ４の取付状態を維持することができる。
【００３１】
そして、コネクタ３の挿入部３ａに閉塞キャップ４を取り付けると、規制部４ｇによって、挿入部３ａに形成された弾性片３ｊは、所定以上の撓みが規制される。したがって、弾性片３ｊに無理な力が作用するのを抑えることができ、その弾性片３ｊの破損を未然に防止することができる。また、閉塞キャップ４は、その位置決め部４ｊにより、コネクタ３に対して位置決めされて、この閉塞キャップ４の撓み許容部４ｃは、コネクタ３における弾性片３ｊと対向して位置し、弾性片３ｊの撓みを間違いなく逃がすことができる。
【００３２】
なお、本発明は、上述した実施の形態に限定されるわけではなく、その他種々の変更が可能である。例えば、ボックス１は、壁に埋設されなくとも、スラブ等に埋設されるものであってもよく、また、埋設されずに用いられてもよい。また、ボックス１には、電気器具が収容されなくとも、水栓器具等が収容されてもよく、また、器具が収容されることなく、単に保護管２が接続されるものであってもよい。
【００３３】
また、コネクタ３の第１接続部３ｂには、保護管２が接続されなくとも、保護管２に接続される管継手が、接続されてもよい。この場合には、ボックス１に保護管２が、コネクタ３と管継手とを介して連結される。
【００３４】
また、コネクタ３の第２接続部３ｃに設けられた逃がし部３ｍは、挿入部３ａから当接部３ｈに渡って設けられなくとも、挿入部３ａにおける当接部３ｈ付近にのみ設けられてもよく、また、挿入部３ａにおける、当接部３ｈ側から固定掛止部Ｖ側に至るように設けられる等、逃がしとして機能するものであれば、第２接続部３ｃの軸方向における幅寸法は任意である。そして、逃がし部３ｍが、挿入部３ａにおける当接部３ｈ付近に設けられる場合には、固定掛止部Ｖを孔１ａの周縁部裏側１ｃに掛けるように挿入部３ａを傾斜させて孔１ａに挿入したときの、孔１ａの周縁部に対する逃がしが効果的に行われる。
【００３５】
また、逃がし部３ｍは、固定掛止部Ｖに対応するようにして設けられなくとも、例えば、図１１および図１２に示すように、第２接続部３ｃの、可動掛止部Ｕを除く全周に設けられてもよく、また、第２接続部３ｃの全周に渡って設けられてもよい。さらに、逃がし部３ｍは、第２接続部３ｃの、その周方向における固定掛止部Ｖ側に設けられなくとも、可動掛止部Ｕ側に設けられてもよい。そして、この場合には、挿入部３ａを、ボックス１の孔１ａに挿入するにあたって、可動掛止部Ｕが孔１ａの周縁部裏側１ｃに掛けられるように、挿入部３ａを孔１ａに対して傾斜させることとなる。
【００３６】
また、コネクタ３には掛止部３ｉが、二つ設けられているが、三つ以上設けられてもよい。そして複数の掛止部３ｉ、３ｉのうち、可動掛止部Ｕは、一つでなくとも、二つ以上であってもよく、特に全ての掛止部３ｉ、３ｉが可動掛止部Ｕであってもよい。
【００３７】
また、コネクタ３の弾性片３ｊに設けられた係合部３ｎは、工具としてのドライバーの先端が嵌まる凹部からなっているが、工具が係合して、弾性片３ｊを強制的に挿入部３ａ内側へ撓ませることができるものであれば、どのような形状であってもよく、また、どの位置に設けられてもよい。
【００３８】
また、閉塞キャップ４において、撓み許容部４ｃには、コネクタ３における弾性片３ｊの所定以上の撓みを規制する、規制部４ｇが設けられているが、図１３に示すように、この規制部４ｇは無くともよい。また、閉塞キャップ４は、撓み許容部４ｃを構成する逃がし空間部４ｆを、取付部４ｂに、１箇所だけでなく、図１４に示すように２個所等、複数箇所有していてもよい。また、撓み許容部４ｃは、逃がし空間部４ｆからならなくとも、図１５に示すように、内側に撓むことができる可撓片Ｙからなっていてもよい。すなわち、複数の可撓片Ｙ、Ｙが、閉塞部４ａの裏面側に、その閉塞部４ａの周縁に沿って並んで、撓み許容部４ｃとなるとともに、コネクタ３における挿入部３ａの内周壁３ｑにぴったり接するようにして取り付けられる壁体４ｅともなっている。
【００３９】
また、取付部４ｂは、挿入部３ａの内周壁３ｑにぴったり接するようにして取り付けられる壁体４ｅにより構成されなくとも、図１６に示すように、閉塞部４ａの裏面から突出する複数の係合突起Ｚ、Ｚからなっていてもよい。このとき、挿入部３ａの先端面３ｐに、前記係合突起Ｚ、Ｚが嵌まる係合孔を設けることで、この取付部４ｂは、挿入部３ａに取り付けられる。そして、係合突起Ｚ、Ｚは、閉塞部４ａの周縁に沿って並ぶが、その周縁の一部には設けられておらず、その部分が、弾性片３ｊの撓みを逃がす逃がし空間部４ｆとなっている。
【００４０】
【発明の効果】
以上、詳述したところから明らかなように、この発明に係る管用コネクタによれば、次の効果がある。
【００４１】
請求項１、２、３、７、８、１１および１２に記載された管用コネクタによれば、挿入部を被取付体の孔に挿入する際に、可動掛止部の、挿入部の内方への移動量が小さくなるので、このコネクタを、被取付体の孔に容易に取り付けることができる。
【００４２】
また、請求項４に記載された管用コネクタによれば、加えて、逃がし部が、挿入部における当接部付近に設けられるので、掛止部を孔の周縁部裏側に掛けるように挿入部を傾斜させて孔に挿入したときの、孔の周縁部に対する逃がしを効果的に行うことができる。
【００４３】
また、請求項５に記載された管用コネクタによれば、加えて、当接部に設けられた逃がし部が、外方に行くほど挿入部先端より離れる方向に進むように傾斜して形成されることから、掛止部を孔の周縁部裏側に掛けるように挿入部を傾斜させて孔に挿入したとき、この逃がし部の傾斜が、孔の周縁部表側に沿うように当たって安定する。
【００４４】
また、請求項６に記載された管用コネクタによれば、加えて、挿入部に設けられた逃がし部が、当接部に近づくほど内方に進むように傾斜して形成されることから、掛止部を孔の周縁部裏側に掛けるように挿入部を傾斜させて孔に挿入するとき、この逃がし部の傾斜に沿って挿入部を孔に挿入することができる。
【００４５】
また、請求項９に記載された管用コネクタによれば、挿入部を被取付体の孔に挿入する際に、可動掛止部の、挿入部の内方への移動量が小さくなるので、このコネクタを、被取付体の孔に容易に取り付けることができる。また、逃がし部が、挿入部から当接部に渡って設けられるので、掛止部を孔の周縁部裏側に掛けるように挿入部を傾斜させて孔に挿入したときの、孔の周縁部に対する逃がしをより効果的に行うことができる。さらに、挿入部側の逃がし部が、当接部に近づくほど内方に進むように傾斜して形成されることから、掛止部を孔の周縁部裏側に掛けるように挿入部を傾斜させて孔に挿入するとき、この逃がし部の傾斜に沿って挿入部を孔に挿入することができる。
また、請求項１０に記載された管用コネクタによれば、加えて、当接部側の逃がし部が、外方に行くほど挿入部先端より離れる方向に進むように傾斜して形成されることから、掛止部を孔の周縁部裏側に掛けるように挿入部を傾斜させて孔に挿入したとき、この逃がし部の傾斜が、孔の周縁部表側に沿うように当たって安定する。
【図面の簡単な説明】
【図１】  この発明に係る管用コネクタの一実施の形態の、平面図である。
【図２】  同じく、図１におけるＡ−Ａ線による拡大断面図である。
【図３】  同じく、コネクタの正面図である。
【図４】  同じく、コネクタの平面図である。
【図５】  同じく、コネクタの底面図である。
【図６】  同じく、図３におけるＢ−Ｂ線による断面図である。
【図７】  同じく、図３におけるＣ−Ｃ線による断面図である。
【図８】  同じく、閉塞キャップの斜視図である。
【図９】  同じく、固定掛止部を、孔の周縁部裏側に掛けた状態を示す断面図である。
【図１０】  同じく、挿入部を、孔に挿入する過程、あるいは孔から外す過程を示す断面図である。
【図１１】  コネクタの変形例を示す正面図である。
【図１２】  図１１におけるＤ−Ｄ線による断面図である。
【図１３】  閉塞キャップの第一変形例を示す斜視図である。
【図１４】  閉塞キャップの第二変形例を示す斜視図である。
【図１５】  閉塞キャップの第三変形例を示す斜視図である。
【図１６】  閉塞キャップの第四変形例を示す斜視図である。
【符号の説明】
１  ボックス（被取付体）      １ａ  孔
１ｂ  周縁部表側              １ｃ  周縁部裏側
２  保護管（管）              ３  コネクタ（管用コネクタ）
３ａ  挿入部                  ３ｂ  第１接続部
３ｃ  第２接続部              ３ｈ  当接部
３ｉ  掛止部                  ３ｊ  弾性片
３ｍ  逃がし部
Ｕ  可動掛止部                Ｖ  固定掛止部
Ｗ  挿入部側の逃がし部        Ｘ  当接部側の逃がし部
【図１】
0004111725.tif 000002
【図２】
0004111725.tif 000003
【図３】
0004111725.tif 000004
【図４】
0004111725.tif 000005
【図５】
0004111725.tif 000006
【図６】
0004111725.tif 000007
【図７】
0004111725.tif 000008
【図８】
0004111725.tif 000009
【図９】
0004111725.tif 000010
【図１０】
0004111725.tif 000011
【図１１】
0004111725.tif 000012
【図１２】
0004111725.tif 000013
【図１３】
0004111725.tif 000014
【図１４】
0004111725.tif 000015
【図１５】
0004111725.tif 000016
【図１６】
0004111725.tif 000017